(57)【要約】      （修正有）【課題】高さが低い点検パネルが用いられている場合であっても、非常解除式開放ストッパー装置を取り付けることができる引戸装置を提供する。【解決手段】非常解除式開放ストッパー装置を、点検パネル７３上部の点検側ランマ下地パネル７と固定側ランマ下地パネル１９との間であって中枠３，３０に近傍する位置に設置し、非常解除式開放ストッパー装置用の電線８１４を、壁面内から、非常解除式開放ストッパー装置より戸先側の位置で引戸装置内に引き込み、非常解除式開放ストッパー装置と接続するとともに、引戸装置の点検パネル７３上部の点検側ランマ下地パネル７とレール部材５ａとの間、あるいは、点検パネル７３を取り外した時に露呈する開放部であって、引戸６の開閉動作とともに移動する部材と接触しない位置に電線８１４を保持する電線保持部２０ａを設ける。【選択図】図２３
2015200073.tif 000002
【特許請求の範囲】
【請求項１】
戸先側縦枠と戸尻側縦枠と上枠より門形に形成されて、建物側の鉄骨に固定される三方枠にレール部材が配設され、戸先側縦枠と戸尻側縦枠間に所定間隔を有して対向して中枠が配設され引戸枠とされ、引戸が戸先寄りの前吊金具、戸袋側寄りの後吊金具を介して、かつ自閉可能にレール部材に吊り下げられ、引戸の閉鎖状態で引戸の位置する側を出入口側とし、引戸の開放状態で引戸の位置する側を戸袋側とし、少なくとも出入口側の上部に、点検側ランマ下地パネルと固定側ランマ下地パネルが所定間隔を有して対向して配設され、戸袋側と、点検側ランマ下地パネルと、固定側ランマ下地パネルの表面が、壁面と略面一とした化粧ボードで覆われ、少なくとも点検側ランマ下地パネルの下方部の位置に点検パネルが着脱自在に設けられるとともに、戸先側寄りに設置される引戸の開閉動作に合わせて移動する第一係合部と、第二係合部を有し中枠寄りに設置される非常解除式開放ストッパー装置とを備えた引戸装置において、非常解除式開放ストッパー装置は、点検パネル上方の点検側ランマ下地パネルと固定側ランマ下地パネルとの間であって中枠に近傍する位置に設置され、非常解除式開放ストッパー装置用の電線は、引戸装置が設置される壁面内から、非常解除式開放ストッパー装置より戸先側の位置で、引戸装置内に引き込まれて非常解除式開放ストッパー装置と接続され、引戸装置の点検パネル上方の点検側ランマ下地パネルとレール部材との間、あるいは、点検パネルを取り外した時に露呈する開放部であって、引戸の開閉動作とともに移動する部材と接触しない位置に電線を保持する電線保持部が設けられていることを特徴とする引戸装置。
【請求項２】
非常解除式開放ストッパー装置は、上下方向と引き戸の開閉方向とに位置調整可能に設置されていることを特徴とする請求項１に記載の引戸装置。
【請求項３】
電線保持部を設けた電線保持部材が、引戸装置に対して着脱自在に設けられ、電線保持部材は、引戸の開閉方向に長尺に形成される隔壁と、電線を載置させることができる電線載置部とを有することを特徴とする請求項１、あるいは、請求項２に記載の引戸装置。
【請求項４】
電線が壁面内から引戸装置内に引き込まれる位置は、引戸の戸先寄りの前吊部より戸先側とされることを特徴とする請求項１、あるいは、請求項２、あるいは、請求項３に記載の引戸装置。
【発明の詳細な説明】
【技術分野】
【０００１】
本発明は、自閉機能を有する引戸の開放姿勢を保持するとともに、非常時に開放状態を解除する非常解除型開放ストッパー装置を有する引戸装置に関するものである。
【背景技術】
【０００２】
従来、この種の引戸装置は、引戸を手動で開放した後、引戸を自動的に閉鎖させる自閉装置、引戸の開閉中に、引戸の前後方向の揺れを防止する振れ止め装置、引戸を全開した状態での開放状態を維持する為の全開ストッパー装置、引戸の急激な閉鎖運動を防止するため、閉鎖間近で引戸の閉鎖スピードを減少させ、緩やかに閉鎖させるブレーキ装置、車椅子等の通過のため、引き戸の所定の開放位置で自閉機能を一旦停止させ、手動による閉鎖方向への負荷によって、自閉するようにした開放ストッパー装置等の各種オプション部材を有しているのが常である。
さらに、引戸装置の引戸等は、建物の内装が完了したあとで据付けられるため、予め建物に組み込まれた引戸枠のレール材に出入口から引戸を取付け、その後、各種オプション部材を取付け、引戸の摺動確認、閉鎖スピードの調整等を含む各種微調整作業を行っている。
【０００３】
また、定期的な点検、あるいは故障の修理等を考慮すると、引戸、レール材等を出入口から容易にしかも完全に取り外せることも考慮する必要があった。
このため、着脱自在なパネル（いわゆる点検パネル）を出入口の点検側（通常は室内側）の上部に構成し、パネルを取り外して引戸の前面上方を開口した状態で、引戸の据付、各種オプション部材の取り付け、引戸の摺動確認、引戸の閉鎖スピードの調整作業を含む各種微調整作業等を行った後、パネルを再び出入口の上部に取り付け、レール部材、エアーシリンダー等を隠蔽していた。
このため、上記作業はパネル（いわゆる点検パネル）側から行われるので、ブレーキ装置等は、引戸の摺動に最も影響を与えない、レール部材の上方に取付けられる事となるが、作業性や意匠性を考慮して、点検パネルの高さが低いものが用いられるようになった。
（例えば、特許文献１参照。）
【０００４】
ところが、病院等の公共の施設で使用されることの多い自閉式の引戸装置では、開放ストッパーで引き戸を開放状態で保持しておくと、火災が発生した場合、引戸が開放状態であると熱や煙が拡散することになるため、火災時に熱感知器や煙感知器と連動して開放ストッパーを解除して自動的に引戸を閉鎖させる非常解除式開放ストッパー装置が設けられていることがある。
このような、非常解除式開放ストッパー装置は、電気信号を受けて開放ストッパーを解除させるための機構などが組み込まれているため、一般的な板バネを使用した開放ストッパーに比べて非常に大きなものとなってしまうばかりか、壁内部から引戸装置内部に引き込まれた電線や電気信号線などの電線との接続が必要である。
しかしながら、引戸装置に前述のような高さが低い点検パネルが用いられている場合、点検パネルを取り外すことによって露呈する引戸装置の開放部の大きさも小さいため、非常解除式開放ストッパー装置を設置する場所、取り付け方法や、引戸装置内部に引き込む方法、電線の接続する方法が問題となって、非常解除式開放ストッパー装置を設置することが出来なかった。
【０００５】
【特許文献１】特開２００９−１９３８４号公報
【発明の開示】
【発明が解決しようとする課題】
【０００６】
本発明は、従来の問題点に鑑みて、高さが低い点検パネルが用いられている場合であっても、非常解除式開放ストッパー装置を取り付けることができる引戸装置を提供する事を課題とする。
【課題を解決するための手段】
【０００７】
そこで、上記課題を解決する為、本発明が第１の手段として構成したところは、戸先側縦枠と戸尻側縦枠と上枠より門形に形成されて、建物側の鉄骨に固定される三方枠にレール部材が配設され、戸先側縦枠と戸尻側縦枠間に所定間隔を有して対向して中枠が配設され引戸枠とされ、引戸が戸先寄りの前吊金具、戸袋側寄りの後吊金具を介して、かつ自閉可能にレール部材に吊り下げられ、引戸の閉鎖状態で引戸の位置する側を出入口側とし、引戸の開放状態で引戸の位置する側を戸袋側とし、少なくとも出入口側の上部に、点検側ランマ下地パネルと固定側ランマ下地パネルが所定間隔を有して対向して配設され、戸袋側と、点検側ランマ下地パネルと、固定側ランマ下地パネルの表面が、壁面と略面一とした化粧ボードで覆われ、少なくとも点検側ランマ下地パネルの下方部の位置に点検パネルが着脱自在に設けられるとともに、戸先側寄りに設置される引戸の開閉動作に合わせて移動する第一係合部と、第二係合部を有し中枠寄りに設置される非常解除式開放ストッパー装置とを備えた引戸装置において、
非常解除式開放ストッパー装置は、点検パネル上方の点検側ランマ下地パネルと固定側ランマ下地パネルとの間であって中枠に近傍する位置に設置され、非常解除式開放ストッパー装置用の電線は、引戸装置が設置される壁面内から、非常解除式開放ストッパー装置より戸先側の位置で引戸装置内に引き込まれて非常解除式開放ストッパー装置と接続され、引戸装置の点検パネル上部の点検側ランマ下地パネルとレール部材との間、あるいは、点検パネルを取り外した時に露呈する開放部であって、引戸の開閉動作とともに移動する部材と接触しない位置に電線を保持する電線保持部が設けられているものである。
【０００８】
次に本発明が第２の手段として構成したところは、前記第１の手段としての構成に加え、非常解除式開放ストッパー装置は、上下方向と引き戸の開閉方向とに位置調整可能に設置されるものである。
【０００９】
次に本発明が第３の手段として構成したところは、前記第１の手段としての構成、あるいは前記第２の手段としての構成に加え、電線保持部を設けた電線保持部材が、引戸装置に対して着脱自在に設けられ、電線保持部材は、引戸の開閉方向に長尺に形成される隔壁と、電線を載置させることができる電線載置部とを有するものである。
【００１０】
次に本発明が第４の手段として構成したところは、前記第１の手段としての構成、あるいは前記第２の手段としての構成、あるいは前記第３の手段としての構成に加え、電線が壁面内から引戸装置内に引き込まれる位置は、引戸の戸先寄りの前吊部より戸先側とされるものである。
【発明の効果】
【００１１】
請求項１に記載の発明によると、非常解除式開放ストッパー装置は、点検側ランマ下地パネルと固定側ランマ下地パネルとの間に取り付けるので、点検パネルより上方に位置させることができるので、点検パネルの高さを低くすることができる。
また、電線は、非常解除式開放ストッパー装置より戸先側から引き込むので、中枠や非常解除式開放ストッパー装置に邪魔されることなく、点検側ランマ下地パネルとレール部材との間の下方部から、電線の引き込み作業ができるので、点検パネルの高さが低くても電線の引き込み作業を行うことができる。
電線保持部を、点検パネル上部の点検側ランマ下地パネルとレール部材との間に設けると、点検側ランマ下地パネルとレール部材の間の下方部の点検パネルを取り外した時に露呈する開放部から手を入れ、電線を電線保持部に載置したり保持させる作業を行うことができるので、点検パネルの高さが低くても電線の引き込み作業を行うことができる。
電線保持部を、点検パネルを取り外した時に露呈する開放部側に設けると、点検パネルの高さに関係なく、電線保持部に電線工事者の手を容易に入れることができるので、電線を電線保持部材に保持させる作業を確実に行うことができる。
また、電線を電線保持部で保持することによって、電線が引戸の開閉に伴って移動する部材に干渉することを防止できる。
【００１２】
請求項２に記載の発明によると、前記効果に加え、非常解除式開放ストッパー装置は、上下方向に位置調整可能であるため、開放力、すなわち手動により開放状態を解除する力の強弱を、第一係合部と第二係合部の高さ方向の係合（当接）具合を調整することによって設定することができる。
また、非常解除式開放ストッパー装置を上下方向に位置調整可能とすることで、傾斜レール式の自閉手段を採用した引戸装置の場合に起こる、引戸の開口幅によって、第一係合部と第二係合部の高さ方向の位置の変動に対応することができる。
また、非常解除式開放ストッパー装置は、引き戸の開閉方向に位置調整可能であるため、引戸を開放保持する位置を、第一係合部と第二係合部の係合（当接）位置を開閉方向に調整することによって設定することができる。
【００１３】
請求項３に記載の発明によると、前記効果に加え、電線保持部材は、電線を載置する載置部が設けられているので、電線を載置部に載せるだけで配線できるから、電気工事作業が容易であるばかりか、隔壁を設けてあるので、電線を特段固定しなくとも、引戸の開閉に合わせて移動する部材と電線が干渉することがない。
また、電線保持部材は、着脱自在であるため、引戸の着脱や引戸装置のメンテナンスのときに、電線保持部材を取り外すことによって作業に支障がでないので、点検パネルの高さが低くても問題がない。
【００１４】
請求項４に記載の発明によると、前記効果に加え、引戸の戸先寄りの前吊部より戸先側で、電線が壁面内から引戸装置内に引き込まれるので、引戸の戸先寄りの前吊部より戸先側は、引戸の開閉に合わせて移動する部材が少ない場所であるため、電線の引き込み部において、電線との干渉を避ける部材が少なく、電線の引き込み作業が容易となるので点検パネルの高さが低くても問題がない。
【発明を実施するための最良の形態】
【００１５】
戸先側縦枠と戸尻側縦枠と上枠より門形に形成されて、建物側の鉄骨に固定される三方枠にレール部材が配設され、戸先側縦枠と戸尻側縦枠間に所定間隔を有して対向して中枠が配設され引戸枠とされ、引戸が戸先寄りの前吊金具、戸袋側寄りの後吊金具を介して、かつ自閉可能にレール部材に吊り下げられ、引戸の閉鎖状態で引戸の位置する側を出入口側とし、引戸の開放状態で引戸の位置する側を戸袋側とし、少なくとも出入口側の上部に、点検側ランマ下地パネルと固定側ランマ下地パネルが所定間隔を有して対向して配設され、戸袋側と、点検側ランマ下地パネルと、固定側ランマ下地パネルの表面が、壁面と略面一とした化粧ボードで覆われ、少なくとも点検側ランマ下地パネルの下方部の位置に点検パネルが着脱自在に設けられるとともに、戸先側寄りに設置される引戸の開閉動作に合わせて移動する第一係合部と、第二係合部を有し中枠寄りに設置される非常解除式開放ストッパー装置とを備えた引戸装置において、非常解除式開放ストッパー装置は、点検パネル上部の点検側ランマ下地パネルと固定側ランマ下地パネルとの間であって中枠に近傍する位置に上下方向と引き戸の開閉方向とに位置調整可能に設置され、非常解除式開放ストッパー装置用の電線は、壁面内から、引戸の戸先寄りの前吊部より戸先側から引戸装置内に引き込まれて非常解除式開放ストッパー装置と接続され、引戸装置の点検パネル上部の点検側ランマ下地パネルとレール部材との間、あるいは、点検パネルを取り外した時に露呈する開放部であって、引戸の開閉動作とともに移動する部材と接触しない位置に、電線保持部材を着脱自在に設け、電線保持部材には、引戸の開閉方向に長尺に形成される隔壁と、電線を載置させることができる電線載置部を設ける。
【実施例】
【００１６】
以下、第１実施例を添付図面に基づいて詳述する。
図１において、符号１は三方枠を示している。三方枠１は、図３から図６に示すように、建物側の鉄骨１１・・・にブラケット１２・・・を介して固定された戸尻側縦枠１３および戸先側縦枠１４と、戸尻側縦枠１３と戸先側縦枠１４の上端間に、建物側の鉄骨１１・・・にブラケット１２・・・を介して配設された上枠１５より門形に形成されている。
【００１７】
そして、戸尻側縦枠１３と戸先側縦枠１４間で、上枠１５の室内側（実施例では点検側、いわゆる、引戸等の吊り込み側）と室外側の両面に上端が固定され、下端部が床面に埋め込まれた室内側中枠３と室外側中枠３０が、室内側と室外側に所定間隔を有して配設されている。
尚、便宜上、一方側を室内側、他方側を室外側として説明しているが、いわゆる、引戸等の吊り込み側（メンテネンス等の点検側となる）が、室内側、室外側のいずれであっても良いことは云うまでもない。
以下、戸尻側縦枠１３と室内側中枠３間を戸袋室内側、戸尻側縦枠１３と室外側中枠３０間を戸袋室外側、戸袋室内側と戸袋室外側をあわせて戸袋側、戸先側縦枠１４と室内側中枠３間を出入口室内側、戸先側縦枠１４と室外側中枠３０間を出入口室外側、出入口室内側と出入口室外側をあわせて出入口側と云う。
【００１８】
図１、図２、図３において、符号２は、上枠１５の室外側内面にネジ止め連結されているレール取付材を示している。符号６は、レール部材５に吊り下げられた引戸を示し、符号１６は、点検、固定両戸袋側の床面全幅にわたって固定されたベース材を示し、符号１６４は、ベース材１６の出入口側端部に、ガイドローラー１７が回転自在に設けられ、 室外側中枠３０、室内側中枠３間でやや出入口側に突出して取付けられたガイドローラー取付部材を示している。
図１、図２において、符号２００は、熱感知器や煙感知器側から引き出される機器側電線を示している。
図２において、符号６１、６１は、引戸６をレール部材５に設けられた吊り下げ用金具５５に吊り下げるための吊り下げボルトを示している。
図１、図２、図５、図６において、符号４・・・は、戸袋室内側及び戸袋室外側の両面上下方向に所定間隔を有して配設された下地桟を示している。
図３、図４において符号７は、上枠１５の点検出入口側に取り付けられる室内側ランマ下地パネルを示し、符号１９は、上枠１５の固定出入口側に設けられる室外側ランマ下地パネルを示している。
【００１９】
そして、上記三方枠１（レール部材５が取り付けられたレール取付材２を含む。）、ベース材１６、室内側中枠３、室外側中枠３０、下地桟４・・・、室外側ランマ下地パネル１９、室内側ランマ下地パネル７、機器側電線２００が、内装仕上げ（化粧ボード、クロス等の張付け）の行われるまでに施工され、内装仕上げが終了した後、引戸６がレール部材５に吊り込まれ、引戸６の摺動確認、閉鎖スピードの調整作業、開放ストッパーの保持位置の調整、レール取付材２の連結固定等が行われ、電線保持部材２０、点検パネル７３を装着する。
【００２０】
以下、各部材について詳述する。
戸尻側縦枠１３は、図６に示す如く、出入口側面１３１と室内側面１３３と室外側面１３２と、室内側側面１３３及び室外側側面１３２の建築側の鉄骨１１側の端部から互いに近づく方向に所定寸法突出する室内側連結突片１３４、室外側連結突片１３９より横断面略コ字形に形成されている。
【００２１】
戸先側縦枠１４は、図６に示す如く、建物側の鉄骨１１側の上下方向に所定間隔を有して固定用部材１４１・・・が設けられ、出入口側方向で室内側に突出して室内側の化粧ボード１００の出入り口側端面を隠蔽する室内側ボード閉塞突部１４７と、出入口側方向で室外側に突出して室外側の化粧ボード１００の出入口側端面を隠蔽する室外側ボード閉塞突部１４６と、室内側ボード閉塞突部１４７と室外側ボード閉塞突部１４６間に位置し、上部が室内側ボード閉塞突部１４７と室外側ボード閉塞突部１４６より上方に突出し、引戸６の戸先側端部が位置する部分に閉鎖用凹部１４８が上下方向に渡って設けられた戸当たり部１４９より扁平な略コ字形に形成されている。
【００２２】
上枠１５は、図３、図４、図５に示す如く、断面下向きコ字形の上枠基板１５１と、上枠基板１５１の下面に連結された断面逆L字形の上枠室外側部材１５２より構成されている。上枠室外側部材１５２は、上枠基板１５１の下面に固着される連結固定用突部１５３と、連結固定用突部１５３の室外側端部を下方に延出したレール取付材連結部１５４より構成され、レール取付材連結部１５４の室内側にはレール取付材２が連結され、レール取付材連結部１５４の室外側の下半部には室外側ランマ下地パネル１９が取付けられている。
【００２３】
レール取付材２は、図３、図４、図５、図８に示すように、レール部材５が室内側に連結されるレール部材連結壁２１と、レール部材連結壁２１に上端から室外側に突出する上部水平壁２１１と、レール部材連結壁２１の下端から室外側に突出する下部水平壁２１２と、上部水平壁２１１の室外側端部から上方向に突出する上部連結用突壁２２と、下部水平壁２１２の室外側端部から下方向に突出する下部連結用突壁２３より構成されている。    
そして、レール取付材２の下部水平壁２１２の室内側端部から室内側に突出した状態で固着された、レール取付材２のほぼ全幅に渡って下面が開口する、断面下向きコ字形の横振れ規制部材２４が下部水平壁２１２の下面に固着されている。
【００２４】
横揺れ規制部材２４は、図４に示すように、下方が開口する断面下向きコ字型に形成され、室内側端面がレール連結壁２１の下面から室内側方向に突出してレール連結壁２１の下面に固着され、揺れ止め用挿通路２４０が形成されている。
【００２５】
レール取付材２と横振れ規制部材２４は、レール部材５が取付けられた状態で、出入口側と戸袋側のほぼ全幅にわたって、上枠１５のレール取付材連結部１５４の室内側に戸先側が下がる状態（レール部材５が前下がりの状態となるよう）に傾斜調節可能に連結される。
すなわち、上枠１５のレール取付材連結部１５４の戸先側端部と戸尻側端部には、図７及び図８に示すように、レール部材連結壁２１の裏面に当接する戸先側連結座２５と戸尻側連結座２６が、室内側に突出して固着され、戸先側連結座２５と戸尻側連結座２６には、レール取付材２との連結用螺孔が形成されると共に、戸尻側連結座２６が戸先側連結座２５より高位置に設けられている。
【００２６】
そして、戸尻側連結座２６の連結用螺孔に対応して、引戸６の開閉方向に長い戸尻側連結孔２１３がレール取付材２のレール連結壁２１の戸尻側端部に形成され、戸先側連結座２５の連結用螺孔に対応して、上下方向に略円弧状の戸先側連結孔２１４が、レール連結壁２１の戸先側端部に形成され、戸尻側連結孔２１３を挿通して戸尻側連結座２６に螺合する戸尻側連結ボルト２００を回動中心として、戸先側端部が上下方向に移動可能となり、引戸６の自閉スピードが最適となるよう戸先側下がりの傾斜姿勢が選択され、戸先側連結孔２１４を挿通して戸先側固定ボルト２１０が戸先側連結座２５に完全に螺合されると共に、下部連結用突壁２３がレール取付材連結部１５４に固定ネジ２２０、２２０で室内側から固定され、レール取付材２（レール部材５）の傾斜姿勢が確実に維持される。
【００２７】
一方、点検パネル７３と電線保持部材２０が取り外された状態で、固定ネジ２２０、２２０が位置する箇所は室内側に露出するので、レール取付材２（レール部材５）の傾斜角度の調節後、下部連結用突壁２３の出入口側は、レール取付材連結部１５４に固定することができる。
【００２８】
レール部材５は、レール取付材２のほぼ全幅に渡って配設され、図３、図４に示すように、断面略C字形で、レール取付材２よりやや短目のレール補強部材５００と、レール補強部材５００の室内側にネジ止め連結される断面略C字形で、レール補強部材５００とほぼ同長の室外側メンバー５１と、室外側メンバー５１の略３分の２程度の長さのボールリテーナ５２に回転自在に保持されたボール５３・・・を介して、室外側メンバー５１に摺動自在に保持される、室外側メンバーの略３分の１程度の長さの移動側メンバー５４より構成され、移動側メンバー５４の室内側には、移動側メンバー５４と同程度の長さの吊り下げ用金具５５が固着されている。
【００２９】
そして、レール補強部材５００は、レール取付材２のレール部材連結壁２１の引戸６の開閉方向に所定間隔を有して設けられた複数個の係止孔（図示せず。）・・・に戸先側から係合する、戸尻側が開口する複数個の係止爪（図示せず。）を有している。
レール部材５は上記のように構成され、前記横振れ規制部材２４の室内側の上面に載置した状態で、係止孔・・・に係止爪・・・を対応させた状態で、戸尻側方向にスライドさせて、係止爪・・・を係止孔・・・に係合させ、レール部材連結壁２１の戸先側下方から戻り止めネジ５０１を螺合して、レール部材５の戸先側端部に位置せしめ（図７に示す。）、レール部材５が戸先側に移動するのを防止し、レール部材５は横振れ規制部材２４に載置された状態でレール取付材２に取り付けられる。
【００３０】
吊り下げ用金具５５は、図３、図１６に示すように、下端部が横振れ規制部材２４の下方に突出して、移動側メンバー５４の室内側に固着される連結固着部５５１と、連結固着部５５１の下端部で、横振れ規制部材２４の下方位置で室外側に突出して連設された上片５５４と、上片５５４の室外側端部に垂下して連設された垂下面５５３と、垂下面５５３の下端部で室内側に突出して形成された吊り下げ支持面５５２より構成されている。
そして、吊り下げ支持面５５２の開閉方向側両端部には、室内側が開口する吊り下げボルト挿通孔５５６、５５６が形成されている。
【００３１】
ベース材１６は、図３、図５、図６に示す如く、戸袋側の床面全幅に位置する固定面１６１と、固定面１６１の室内側（点検側）及び室外側（固定側）の端部に形成された立ち上がり面１６２、１６２と、立ち上がり面１６２、１６２から内方に突出して形成されたＬ字形の下地ボード受け面１６３、１６３と、固定面１６１の出入り口側端部に、出入り口側に突出し、扉６の下端面に形成された嵌合溝６０内に嵌合するガイドローラー１７を、その上面で回転自在に保持するガイドローラー取付部材１６４が固着されている。
そして、ガイドローラー取付部材１６４の出入り口側端部はアンカーボルトにて床面に固定されると共に、ベース材１６の出入口側端部は室内側中枠３、室外側中枠３０の内面と連結され、さらに、戸尻側端部が戸尻側縦枠１３と連結され床面に固定される。
【００３２】
室内側中枠３は、図６に示す如く、上端部が上枠１５の室内側垂直面にネジ止め連結される内面側に位置する補強枠３１と、補強枠３１の出入り口側の端部から室内側に位置する室内側外側枠３６より構成されている。
そして、室内側外側枠３６は、出入り口側の端部から室内側に突出し、室内側戸袋化粧ボード１００の出入口側端部を隠蔽する室内側中枠突部３２と、室内側中枠突部３２の内面側端部から戸尻側縦枠１３方向に突出し、室内側戸袋化粧ボード１００が貼り付けられる化粧ボード支持部３３と、化粧ボード支持部３３の戸尻側縦枠１３側の端部からL字形に戸尻側縦枠１３方向に突出し、下地桟４・・・の室内側中枠３側の端部が連結される下地桟連結部３４より形成され、下端部がベース材１６と連結され、床面仕上げ時に下端が床面に埋め込まれて立設される。
【００３３】
室外側中枠３０は、図６に示す如く、上端部が上枠１５の室外側垂下突片１５３の室外側と室外側からネジ止め連結され、その下方部で上枠室外側部材１５２の下端部の室外側に室内側からネジ止め連結され、内面側に位置する室外側補強枠３０１と、室外側補強枠３０１の出入り口側の端部から室外側に位置する室外側外側枠３０６より構成されている。
そして、室外側外側枠３０６は、室外側補強枠３０１の出入り口側の端部から室外側に突出し、室外側戸袋化粧ボード１００の出入口側端部を隠蔽する室外側中枠突部３０２と、室外側中枠突部３０２の内面側端部から戸尻側縦枠１３方向に突出し、室外側戸袋化粧ボード１００が貼り付けられる室外側化粧ボード支持部３０３と、室外側化粧ボード支持部３０３の戸尻側縦枠１３側の端部からL字形に戸尻側縦枠１３方向に突出し、下地桟４・・・の室外側中枠３０側の端部が連結される室外側下地桟連結部３０４より形成され、下端部がベース材１６と連結され、床面仕上げ時に下端が床面に埋め込まれて立設される。
【００３４】
下地桟４は、図２、図５、図６に示すように、基板表面部４１と、基板表面部４１の上下端部をL字形に折り曲げた上下フランジ部４２、４３より構成され、基板表面部４１の戸先側端部と戸尻側端部が戸尻側縦枠１３と室内側中枠３及び室外側中枠３０にネジ止め連結され上下方向に所定間隔を有して配設されている。
【００３５】
室外側ランマ下地パネル１９は、図３、図４に示す如く、室外側表面基板１９１の上端部に形成されたL字形の上部連結用突片１９２と、室外側表面基板１９１の下端部に室外側に突出して形成された略コ字形の室外側化粧突部１９３に形成にされる。
このように形成される室外側ランマ下地パネル１９は、上枠１５のレール取付材連結部１５４の室外側に上部連結用突片１９２ネジ止めされて、室外側ランマ下地パネル１９は室外側中枠３０と戸先側縦枠１４の上部間に位置して取付けられ、室外側化粧ボード１００が貼り付けられた状態で、室外側化粧突部１９３と室外側中枠突部３０２と室外側ボード閉塞突部１４６だけが露出することとなる。
【００３６】
室内側ランマ下地パネル７は、図３、図４、図１８に示すように、基板７２と、基板７２上端に形成された上端連結突片７１と、基板７２の一部が室外側に折り曲げられ形成されるブレーキ座取付用螺孔７２２、７２２を有するブレーキ座取付片７２１と、基板７２の裏面（レール部材側）に設けられる非常解除式開放ストッパー装置８が取り付けられるストッパー装置取付用螺孔７２６、７２６を有するストッパー装置取付座７２５と、室内側化粧ボード１００の下端縁の下面を支持隠蔽する基板側下突片７２３と、基板側下突片７２３の下面両端にねじ止めされる逆Ｌ字状の取付アングル７２４、７２４より構成される。
そして、上枠１５の室内側垂直面に上端連結突片７１が、室内側からネジ止め連結され、取付アングル７２４、７２４のそれぞれが、室内側中枠３と戸先側縦枠１４にねじ止め連結される。
【００３７】
ブレーキ装置は、図３、図１１に示すように、吊り下げ用金具５５の戸尻側端部の垂下面５５３に、連結ネジ９１０にて連結されるブレーキ操作部材９１と、エアーシリンダー（ブレーキ装置の調整部）装置９３より構成されている。
ブレーキ操作部材９１の上部には、非常解除式開放ストッパー８１より上方に位置し、室内側に突出してブレーキ操作突片９１１が設けられる。
【００３８】
ブレーキ操作突片９１１とエアーブレーキ９３は、非常解除式開放ストッパー８１（後述する）より上方に取り付けられ、後述するストッパー取付座８３が、ブレーキ操作突片９１１とエアーブレーキロッド９３１の軌道上から逃がされる形状とされているので、エアーブレーキ９３装置の作動時に干渉するものはない。
【００３９】
尚、ブレーキ操作突片９１１は、エアーシリンダー装置９３のシリンダーの先端部に当接するものであるが、エアーシリンダー（ブレーキ装置の調整部）装置９３とブレーキ操作突片９１１からなるブレーキ装置は、公知技術であるため（例えば特開平０８−１７７３０５号公報に記載されている衝撃緩衝装置のピストンシリンダーと取付けブラケットの作用効果）詳細な説明は省略する。
【００４０】
エアーブレーキ９３の取り付け方法は、まず、エアーブレーキ９３をブレーキ座９３２にネジ止めし、エアーブレーキ９３がネジ止めされたブレーキ座９３２を、室内側ランマ下地パネル７とレール部材５間の下方から上方に向かって挿入し、ブレーキ座９３２のエアーブレーキ９３ネジ止め部の上端から室内側に突出した取付片９３３を、室内側ランマ下地パネル７のブレーキ座取付片７２１に下方から当接させ、ブレーキ座取付用螺孔７２２、７２２を使用して、下方部から上向きにネジ止めすることによってエアーブレーキ９３は取り付けられる。
このように、エアーブレーキ９３は、室内側ランマ下地パネル７とレール部材５間の下方から取り付けることができるので、点検パネルの高さが低くても取り付けできる。
【００４１】
壁面内部となる鉄骨１１部の所定箇所に配線される熱感知器や煙感知器側から引き出される機器側電線２００は、図１９に示されるように、上枠１５上面の戸先側であって、上枠基板１５１と連結固定用突部１５３を貫通して設けられる電線引き込み孔１５ａから戸先側の吊り下げボルト６１より戸先側に引き込まれる。
【００４２】
電線引き込み孔１５ａは、上枠１５に設けなくとも、戸先側縦枠１４の上部に設けてもよい。この場合、機器側電線２００は、戸先側縦枠１４の上端や背面部（壁面内部側）から戸先側縦枠１４内を通り、戸先側縦枠１４の戸当たり部１４９上部の室内側ランマ下地パネル７と室外側ランマ下地パネル１９間に設けられた電線引き込み孔１５ａから引き込まれる。
【００４３】
当然ながら、機器側電線２００引き込み箇所は、引戸６の開閉動作に伴って移動する部材と干渉しない箇所であれば、引戸６の戸先側の吊りボルト６１より戸先側以外でもかまわない。
例えば、エアーブレーキ９３を取り外しておいて、エアーブレーキ９３上部付近より機器側電線２００を引き込み、室内側ランマ下地パネル７に沿って電線２００を落とし込んでからエアーブレーキ９３を取り付けても良い。
【００４４】
しかしながら、非常解除式開放ストッパー装置８が中枠寄りに設置されるので、非常解除式開放ストッパー装置８より戸尻側の場合には、非常解除式開放ストッパー装置８や中枠５や引戸６の開放時に発生する引き残しが邪魔になるので、電線の引き込み作業のスペースが少なく電線の引き込み作業が困難である。
そのため、少なくとも非常解除式開放ストッパー装置８より戸先側であって電線の引き込み作業が出来る場所から電線を引き込む必要がある。
【００４５】
したがって、機器側電線２００の取り込み箇所は、引戸６の戸先側の吊りボルト６１より戸先側であれば、引戸６の開閉動作に伴って移動する部材が少なく（実施例の場合は、ストッパー部材８５と戸先側の揺れ止め２４５のみ）との干渉を防ぎやすいので、引戸６の開閉に支障にならなく、設定が容易で都合が良い。
【００４６】
このように取り付けられた室内側ランマ下地パネル７の基板７２の上方に下地ボード１０１が貼り付けられ、さらに基板７２の室内側の表面に室内側化粧ボード１００が貼り付けられ、室外側ランマ下地パネル１９の下室外側表面基板１９１の上方に下地ボード１０１が貼り付けられ、さらに、下室外側表面基板１９１の室外側表面に室外側化粧ボード１００が貼り付けられ、下地桟４・・・の上下フランジ４２、４３、ベース材１６の下地ボード受面１６３、上枠１５の室内側及び室外側の垂直面間等に下地ボード１０１・・・が貼り付けられ、下地ボード１０１・・・の表面の戸袋側に化粧ボード１００が貼り付けられた状態で、出入口以外の表面が建物の壁面と同じ化粧用ボード１００で面一に覆われた後、さらに室内側にはクロス１０３等が貼り付けられることとなる。
【００４７】
すなわち、戸先側縦枠１４の室内側ボード閉塞突部１４６と、室外側ボード閉塞突部１４７と、室内側中枠突部３２と室外側中枠突部３０２と、点検パネル７３（後述）と室外側化粧突部１９３が化粧ボード１００より外側に突出して現れることとなる。
【００４８】
非常解除式開放ストッパー装置８は、図１１、図１２に示されるように、非常解除式開放ストッパー８１と、非常解除式開放ストッパー８１にねじ止めされるストッパー基材８２と、ストッパー基材８２がねじ止め連結されるストッパー取付座８３より構成される。
【００４９】
次に非常解除式開放ストッパー装置８を構成する各部材を説明するが、便宜的に引戸の開閉方向と左右方向、室内側と廊下側への出入り方向を前後方向とし、室内側（点検パネル側）を前側、廊下側を後側とする。
【００５０】
非常解除式開放ストッパー８１は、主に、左右方向に細長い直方体状の本体部８１１と、引戸６側に設けられた第一係合部８５１と係合する第二係合部８１２と、非常解除状態から通常の開放ストッパー状態に復旧する復旧ボタン８１３と、非常解除動作を行うための信号線、電気線からなるストッパー側電線８１４からなり、第二係合部８１２は、バネの付勢力を用いて、本体部８１１から下方に突出状態とされる。第二係合部８１２は、第二係合部８１２に、ある一定の上向き押力が加わると、バネの付勢力に抗して、第二係合部８１２が本体部８の内部に押し込まれるように施されている。この作用を利用して、引戸６が開放保持する開放ストッパーとされる。
【００５１】
具体的には、引戸６が開放されると、引戸６の戸先側上部に取り付けられたストッパー部材８５が引戸６と共に移動し、ストッパー部材８５の第一係合部８５１が第二係合部８１２に当接する。そこからさらに引戸６を開放すると、第一係合部８５１によって上向きの押力が第二係合部８１２に加わり、第二係合部８１２が本体部８１１の内部に押し込まれる（図１４の状態）。そして、第一係合部８５１が第二係合部８１２を通り過ぎると、第二係合部８１２はバネの付勢力によって突出状態に復帰する。
この状態で、引戸６の開放を停止すると、引戸６は自閉手段によって閉鎖方向に移動しようとするが、第一係合部８５１が第二係合部８１２に当接し、引戸６の閉鎖移動が停止し開放状態が保持される（図１３の状態）。
当然のごとく、係合部８１２はバネの付勢力は、引戸６の自閉力より強く設定されている。そのため、開放状態を解除する場合は、開放時と反対の動作、すなわち、手で引戸６を閉鎖方向に移動させる。
【００５２】
さらに、非常解除式開放ストッパー８１の本体部８１１内部には、第二係合部８１２を強制的に本体部８内部に押し込む（引っ張り込む）電磁石、ばね等が設けられ、ストッパー側電線８１４を通して、煙感知器などから電気信号が送られると、電磁石、ばね等が作用し、図１５のように、係合部８１２が本体部８内部に押し込まれた状態となる。この時、同時に復旧ボタン８１３は突出する（図１５の矢印方向）。
このように、電気信号によって、第二係合部８１２が本体部８１１内部に押し込まれた状態となるので、引戸６の開放保持状態（図１３）にあった第一係合部８５１が、第二係合部８１２との当接状態から開放され、自閉手段の作用によって、引戸６は閉鎖することになる。
【００５３】
係合部８１２を非常解除状態から復旧する場合は、復旧ボタン８１３と元に状態に押し込む（図１５の矢印の反対方向）と、押し込み力によって係合部８１２が押し戻され、通常の状態に復旧することができる。
【００５４】
このように、非常解除式開放ストッパー８１には、通常の開放ストッパー機構に加え、非常解除機構、復旧機構が必要であるため、単純に板バネを用いた開放ストッパーに対して、大きなものとなる。
【００５５】
ストッパー基材８２は、ストッパー基材８２を非常解除式開放ストッパー８１の本体部８１１の上面の螺孔８１１ａ、８１１ａにねじ止めするための取付孔８２１ａ、８２１ａを有する左右方向に長い矩形板状のストッパー取付部８２１と、取付部８２１の左右の両端から垂下する支持板８２２、８２２と支持板８２２、８２２のそれぞれの前端に連設し、それぞれ左右方向に外側に突出する高さ調整部８２３、８２３よりなり、調整部８２３には上下方向に長い高さ調整長孔８２４が設けられている。
【００５６】
ストッパー取付座８３は、左右方向に長い矩形板状の上面板８３１と、上面板８３１の後端から垂下する後面板８３２よりなる。そして、上面板８３１の左右両端付近には、左右方向に長い左右調整長孔８３１ａ、８３１ａが設けられている。
また、後面板８３２は、左右両端部８３２ａ、８３２ａを残して下方部が切り欠かれたれた門型とされ、該左右両端部８３２ａ、８３２ａには、前記ストッパー基材８２の高さ調整長孔８２４、８２４に対応する位置にストッパー基材取付用螺孔８３２ｂ、８３２ｂが設けられている。
【００５７】
このように構成された非常解除式開放ストッパー装置８の各部材の取り付け方法を説明する。
まず、ストッパー基材８２のストッパー取付部８２１の下面と、非常解除式開放ストッパー８１の本体部８１１の上面を当接させ、非常解除式開放ストッパー８１の本体部８１１の上面部の螺孔８１１ａ、８１１ａ、ストッパー基材８２の取付孔８２１ａ、８２１ａを、ネジ８ａ、８ａを使用して、ストッパー基材８２と非常解除式開放ストッパー８１を連結する。
【００５８】
次に、ストッパー基材８２の高さ調整部８２３、８２３の裏面と、ストッパー取付座８３の左右両端部８３２ａ、８３２ａの前面を当接させ、ストッパー基材取付用螺孔８３２ｂ、８３２ｂ、高さ調整長孔８２４、８２４、六角ボルト８ｂ、８ｂを使用して、ストッパー基材８２とストッパー取付座８３を連結し、非常解除式開放ストッパー装置８が完成する。
この時の高さ調整長孔８２４、８２４に対するネジ８ｂ、８ｂの高さ方向に位置は、最終的にストッパー基材８２の高さ方向の調整を行うので、一時的に高さ調整長孔８２４、８２４の長孔の上下中間部にしておけばよい。
【００５９】
このように組み立てられた非常解除式開放ストッパー装置８は、ストッパー取付座８３の上面板８３１の上面を上面側として、レール部材５の前面と、室内側ランマ下地パネル７の基板７２との間に形成される開口部から、上方に向かって挿入され、上面板８３１の上面と、室内側ランマ下地パネル７のストッパー装置取付座７２５の下面とを当接させた状態で、ストッパー装置取付座７２５のストッパー装置取付用螺孔７２５、７２５と、上面板８３１の左右調整長孔８３１ａ、８３１ａと、下方から上方に向かって螺合されるネジ８ｃ、８ｃを使用して非常解除式開放ストッパー装置８は、室内側ランマ下地パネル７に取り付けされる。
この時の左右調整長孔８３１ａ、８３１ａに対するネジ８ｃ、８ｃの左右方向に位置は、最終的に非常解除式開放ストッパー装置８の左右方向の調整を行うので、一時的に左右調整長孔８３１ａ、８３１ａの長孔の左右中間部にしておけばよい。
【００６０】
非常解除式開放ストッパー８１のストッパー側電線８１４は、非常解除式開放ストッパー８１の上面から取り出され、該上面に沿って戸尻側に回され、非常解除式開放ストッパー８１の戸尻側面に沿って下方に回され、最終的に後述する電線保持部材２０に導かれる。
ストッパー側電線８１４をこのように取り回しすることによって、ストッパー側電線８１４が、第一係合部８５１や、第二係合部８１２の軌道上に入らようにでき、引戸の開閉、開放ストッパーの保持、開放に支障がでない。
【００６１】
吊り下げ用金具５５に吊り下げられる引戸６は、吊り下げボルト挿通孔５５６、５５６に対応する位置で、上端面に吊り下げボルト６１、６１が設けられたパネル形状をなし、図１、図４、図１１に示すように、戸先側と戸尻側の両端部上面に、レール取付材２の前横揺れ規制突片２４２に下方から上端部コ字状部が係合する揺れ止め２４５、２４５が取付けられ、下端面の開閉方向に前記ガイドローラー１７が嵌合する嵌合溝６０が形成され（図３に示す。）、引戸６の戸先側端面には、引戸の閉鎖状態で戸先側縦枠１４の閉鎖用凹部１４８内に位置する戸当たり部材６００（図６に示す。）が、戸先側縦枠１４方向に突出して設けられている。
符号３００は（図１、図２に示す。）、引戸６の戸先側端部で、室内側（点検側）、室外側（固定側）に設けられた取手を示している。
【００６２】
揺れ止め２４５は、保持部材２４６と振れ止め部材２４７と固定ネジ２４８、２４８より構成されている。
振れ止め部材２４７は、上下方向に長い厚肉板状であって、平面視において出入り側方向に長く、引戸の開閉方向に短い細長長方形を成し、上端に引戸の開閉方向に貫通する切欠きが設けられ上向きコ字状とされ、コ字状の両端の突出部には、樹脂キャップ２４７ａ、２４７ａが被せられている。
保持部材２４６は、引戸６の上面から差し込まれる角筒状の支持部２４６ａと引戸６の上面に載置しネジ止め固定するのに使用されるフランジ部２４６ｂを有している。
支持部２４６ａの上面は開放状態となっており、支持部２４６ａの室内側立面に固定ネジ２４８、２４８が相通する孔が設けられ、対向面に固定ネジ２４８を螺合する螺孔が設けられ、孔から固定ネジ２４８、２４８が挿入され、螺孔を使って、固定ネジ２４８、２４８が螺合される。
【００６３】
この状態で、支持部２４６ａの室内側立面と対抗面（室外側立面）との間は、振れ止め部材２４７長手寸法と略同じに設定される。固定ネジ２４８、２４８のネジ軸部間は、振れ止め部材２４７の短手寸法と略同じ寸法とされる。
そして、支持部２４６ａの下面は塞がれているが、振れ止め部材２４７の断面とほぼ同じ大きさの細長長方形孔が設けられている。
したがって、支持部２４６ａには、振れ止め部材２４７が、ガタツキが少ない状態で上下方向に貫通している。
具体的には、振れ止め部材２４７の前後方向にガタツキが、支持部２４６ａの室内側立面と対抗面との間と、支持部２４６ａの下面の細長長方形孔で規制され、左右方向のガタツキが、固定ネジ２４８、２４８のネジ軸部と支持部２４６ａの下面の細長長方形孔で規制される。
そして、固定ネジ２４８、２４８を閉めこむと、振れ止め部材２４７が室内側立面と対抗面との間が狭くなり、振れ止め部材２４７が支持部２４６ａの室内側立面と対抗面との間に挟まれることによって固定され、固定ネジ２４８、２４８を緩めると、振れ止め部材２４７が上下方向に調整可能となる。
【００６４】
吊り下げボルト６１は、図１６に示すように螺軸部６２とボルト頭部６３よりなり、ボルト保持体６５が垂下面５５３に連結されることで、吊り下げ用金具５５を介してレール部材５と連結され、引戸６は開閉方向に移動自在となる。
ボルト保持体６５は、吊り下げ用金具５５の垂下面５５３に形成された螺孔５５７・・・に螺合する連結ネジ６５０・・・で垂下面５５３に連結され、吊り下げボルト６１の回動を阻止し、かつ、吊り下げボルト６１が吊り下げボルト挿通孔５５６から脱落するのを防止する。
【００６５】
次に引戸６の吊り下げ方法を説明する。
室内側より、振れ止め部材２４７、２４７の上端が最も低い位置まで下げられた状態で、引戸６は、吊り下げボルト６１、６１の螺軸部６２、６２が、吊り下げボルト挿通孔５５６、５５６を挿通して、ボルト頭部６３が吊り下げ用支持面５５２に載置させ、必要に応じて頭部６３、６３をスパナで回動して引戸６を所定の高さに位置させた後、ボルト保持体６５、６５が垂下面５５３に連結されて、レール部材５に吊り下げ用金具５５を介して吊り下げられる。
この状態で、ボルト保持体６５、６５が、ボルト頭部６３の対向した２面を押さえるので吊下げボルト６１が不用意に回動することがなく、引戸６は確実に所定の高さに維持される。
【００６６】
次に、振れ止め部材２４７、２４７を上昇させ、上端部に設けた合成樹脂製の滑り用キャップ２４７ａ、２４７ａ間に前横揺れ規制突片２４２が係合する所定高さに位置させ、固定ネジ２４８、２４８を締め込み所定の高さに固定する。
さらに、引戸６を吊り下げた状態で、レール取付材２の傾斜角度を調節し、引戸６の所望の自閉スピードを得る。
次に、引戸６の戸先側端部付近の上面にストッパー部材８５が室内側から六角ボルトにて取り付けられる。
【００６７】
ストッパー部材８５は、第一係合部８５１と第一係合部材取付座８５２とで構成され、第一係合部材取付座８５２は、引戸６の上面に載置され引戸６にネジ止めされる基部８５３と基部８５３の戸先端から下方に向かって突出し引戸６に設けられた係合孔に差し込まれる回転防止片８５４と、基部８２１の室内側端から上方に立ち上がる第一係合部材取付部８５５で形成されている。
第一係合部８５１は、出入り方向を回転軸として回転する回転ローラーであって、軸部がネジ状とされ、該ネジ状部にて、第一係合部材取付部８２３に設けられた螺孔に取り付けられて、ローラー部が回転自在とされる。
【００６８】
このように構成されるストッパー部材８５は、前述のとおり、引戸６を開放すると、第一係合部材が、第二係合部に係合（当接）し開放状態が保持される。
また、第一係合部８５１が第二係合部８１２の係合具合によって、引戸６の開放保持位置や引戸６の開放保持力を調整することができる。
【００６９】
引戸６の開放保持位置の調整方法は、非常解除式開放ストッパー装置８のストッパー取付座８３と室内側ランマ下地パネル７のストッパー装置取付座７２５を連結しているネジを下方からドライバーなどの工具を使用して緩め、非常解除式開放ストッパー装置８を前後方向に移動調整後、前記ネジを締めこむことによって行う。
非常解除式開放ストッパー装置８は、前記ネジを緩めた状態で左右調整長孔８３１ａ、８３１ａ相当分、前後方向に移動させることができる。
非常解除式開放ストッパー装置８を前後に移動すると、第二係合部８１２も前後に移動することになるから、第一係合部８５１と第二係合部８１２の当接位置も前後方向に移動することになるため、引戸６の開放保持位置を前後方向で調整することができる。
【００７０】
引戸６の開放保持力を調整は、第一係合部８５１と第二係合部８１２の当接（係合）高さを調整することによって行うことができる。
具体的には、開放保持状態で、第二係合部８１２の位置を低くすると、相対的に第一係合部８５１の高さが高くなり、第一係合部８５１と第二係合部８１２の当接度合いが大きくなり、引戸６を開放保持ざせる、あるいは、開放保持状態の引戸６を閉止させる時、第一係合部８５１が第二係合部８１２をより高く押し上げる必要が出るので、より大きな力が必要になり、開放保持力が上がる。第二係合部８１２の位置を高くした場合は、逆に必要な力が減少するので開放保持力が下がる。
【００７１】
実施例における第二係合部８１２の高さ調整方法は、まず、非常解除式開放ストッパー装置８のストッパー取付座８３と室内側ランマ下地パネル７のストッパー装置取付座７２５を連結しているネジを下方からドライバーなどの工具を使用して外し、非常解除式開放ストッパー装置８を室内側ランマ下地パネル７から取り外す。
そして、ストッパー取付座８３とストッパー基材８２を連結している、六角ボルト８ｂ、８ｂ緩め、ストッパー基材８２を非常解除式開放ストッパー８１上下調整する。
再度六角ボルト８ｂ、８ｂを締め付け、ストッパー基材８２をストッパー取付座８３に固定する。そして、非常解除式開放ストッパー装置８を室内側ランマ下地パネル７にネジ止めすることによって、第二係合部８１２の高さ調整を行うことができる。
【００７２】
尚、傾斜レール式の自閉手段を採用した引戸装置の場合、引戸６を開放するとレール部材の傾斜に沿って引戸６も上昇しながら開放していく。そのため、引戸の開口幅によって、第一係合部８５１の高さがレール部材の傾斜分だけ変化するので、第二係合部８１２を高さ調整することによって、引戸の開口幅に合わせて第一係合部８５１と第二係合部８１２を当接させることができる。
【００７３】
引戸６を吊り下げた後、戸先側縦枠１４と室内側中枠３の所定の位置に、突部連結座７０、７０をネジ止めする。
突部連結座７０、７０は、ネジ止めによって着脱自在であるので、引戸６の吊り込みや取り外しの時に取り外すことによって、作業の邪魔にならない。
【００７４】
突部連結座７０、７０は対向した同形に構成されているので一方側についてのみ説明する。
突部連結座７０は、図９に示すように、前記室内側ランマ下地パネル７の取付アングル７２４の下方の戸先側縦枠１４や室内側中枠３の上端部出入口側内面にネジ止め連結される連結用壁７０１と、連結用壁７０１の下端部に出入口側に突出して連設され、点検パネル７３の室内側閉塞部７８の下面がネジ止め連結される点検パネル連結用螺孔７０３を有する下部突出壁７０２と、下部突出壁７０２の突出端から上方に向かって連接される連接板７０４と、連接板７０４の上端から出入口側に突出して連設され、後述する電線保持部材２０がネジ止め連結される電線保持部材連結用螺孔７０６を有する下部突出壁７０５により構成されている。連接板７０４には、突部連結座７０を室内側中枠３にネジ止め連結する時に、ねじと工具（ドライバー軸）が挿通できるように、逃がし孔７０４aが設けられている。
【００７５】
次に突部連結座７０、７０の下面から電線保持部材２０をネジ止め固定する。
【００７６】
電線保持部材２０は、図２１に示すように、左右方向に伸びる隔壁２０１と、隔壁２０１の下端から前方に向かって連設する電線載置部２０２と、電線載置部２０２の前端から上方に向かって連設するこぼれ止め部２０３よりなり、上向きコ字状断面とされ、左右方向の長さは、前述の突部連結座７０、７０間に配置可能な長さに設定され、高さ方向は、点検パネル７３の高さ内に収まる高さに設定される。
電線載置部２０２の両端には、突部連結座７０、７０の電線保持部材連結用螺孔７０６、７０６に対応した位置に連結孔２０２ａ、２０２ａが設けられている。
【００７７】
このように構成された電線保持部材２０は、電線載置部２０２の上面を突部連結座７０、７０の下部突出壁７０５の下面に当接させ、連結孔２０２ａ、２０２ａと、下部突出壁７０５、７０５と、電線保持部材連結用螺孔７０６、７０６とねじ２０ａ、２０ａを使用して着脱自在に取り付けられる。
【００７８】
電線保持部材２０が取り付けられた状態を詳述すると、図１０に示されるように隔壁２０１の上端と室内側ランマ下地パネル７の基板側下突片７２３間、こぼれ止め部２０３の上端と基板側下突片７２３下面間には、それぞれ電線が通る程度の隙間２０ｂ、２０ｃが設けられ、こぼれ止め部２０３の前面が、取り付けられた状態の点検パネル７３の内面と略当接する位置になるように設定されている。
【００７９】
次に電線の取り回し方法を説明する。
前述のとおり、戸先側の吊り下げボルト６１より戸先側に引き込まれた機器側電線２００は、そのまま下方に伸ばされ、前記、隙間２０ｂ、あるいは、電線保持部材２０の戸先側端面側から通され、電線載置部２０２上に載置されながら戸尻側に引き伸ばされる。
【００８０】
次に、ストッパー側電線８１４は、前述のとおり、非常解除式開放ストッパー８１の戸尻側面に沿って下方から引き出され、前記、隙間２０ｂ、あるいは、電線保持部材２０の戸尻側端面から通され、電線載置部２０２上に載置されながら戸先側に伸ばされる。
【００８１】
そして、機器側電線２００とストッパー側電線８１４を連結できる位置まで電線を配設したら、それぞれの電線の余分線を切断して、それぞれの電線を、コネクターなどを使用して接続する。
尚、これらの配線作業は、隙間２０ｃから行えるように施されている。
そして、電線載置部２０２上に載置された電線は、点検パネル７３が取り付けられると、こぼれ止め部２０３が点検パネル７３の内面と略当接する位置になるように設定されているから、電線載置部２０２前方側には電線が通る隙間がなく、電線載置部２０２後方側には隔壁２０１があるから電線載置部２０２から脱落することがない。
【００８２】
電線保持部材２０は、左右方向に長いものでなくても、図２２の２０ａ、２０ａのように部分的なものを、室内側ランマ下地パネル７に設けた差込孔に差し込む方法などで着脱自在に複数個設けても良いが、この場合、電線が電線保持部材２０ａ、２０ａ間で撓むことで引戸６の開閉時に移動する部材と干渉する可能性があることから、電線が撓まないように電線を電線保持部材２０に結束バンドなどで保持しておくとよい。
図２１に示すように、電線載置部２０２などに複数の孔２０２ｂ・・・を設けておいて、複数の孔２０２ｂ・・・を使用して結束バンドなどで保持してもよいが、本件実施例のように、左右方向に長く、電線載置部２０２から電線が脱落防止形態を施している場合、結束などによる保持の必要性は特段生じないので作業性がよい。
【００８３】
点検パネル７３は、図１０に示すように、室内側の上方から基板側下突片７２３の先端部分に載置され、室内側化粧ボード１００に張られたクロス１０３の下縁を隠蔽する載置用突片７６と、L字形の室内側閉塞部７８より構成されている。
【００８４】
最終仕上げが施された（レール取付材２、引戸６等がとりつけられた）後、点検パネル７３の載置用突片７６を基板側下突片７２１に外側上方から載置し、突部連結座７０、７０に室内側閉塞部７８が下面からネジ止め連結されて出入口の上部に点検パネル７３が着座自在に設けられる。
【００８５】
図２３に示す、第２実施例は、ボールスライド型レールと吊り下げ用金具、吊りボルトによる引戸の吊り方ではなく、戸車５５ａによる引戸６の吊り方の場合の引戸装置である。
非常解除式開放ストッパー装置８を、戸車５５ａの上部の位置に設置させることによって、室内側ランマ下地パネル７とレール部材５ａ（吊金具６１ａ）との間に、電線保持部材２０ａを設けることができる。
この場合、電線保持部材２０ａは、室内側ランマ下地パネル７に設けられた取付座７０ａに着脱自在にねじ止め設置される。
電線は、レール部材５ａ（吊金具６１ａ）と電線保持部材２０ａ間の隙間から押し入れる。
尚、戸車による引戸の吊り方の場合、エアーブレーキ式ではなく、公知技術である戸先側戸車と戸尻側戸車間に設けたロータリーダンパーを使用するブレーキ装置を用いることが多い。
【００８６】
また、戸車式の場合、機器側電線２００の引戸装置内への引き込み箇所を、戸先側の戸車５５ａを支える吊り金具６１ａより戸先側に設定していれば、引戸６の開閉動作に支障にならない位置にできる。
【図面の簡単な説明】
【００８７】
【図１】本発明の室内側（点検側）からの正面図
【図２】化粧ボードと室内側ランマ下地パネルと点検パネルと電線保持部材を取り外した状態での室内側からの正面図
【図３】図１のA―A線拡大断面図
【図４】図１のB―B線一部拡大断面図
【図５】図１のC―C線拡大断面図
【図６】図１のD―D線拡大断面図
【図７】レール取付材の取り付け状態を示す正面略図
【図８】レール取付材の取り付け状態を示す要部断面図
【図９】突部連結座の斜視図
【図１０】室内側化粧突部部分の拡大断面図
【図１１】図２における非常解除式開放ストッパー装置付近の拡大図
【図１２】非常解除式開放ストッパー装置の分解斜視図
【図１３】引戸が開放状態で保持された状態を示す概略図
【図１４】第一係合部材が第二係合部材を押し上げた状態を示す概略図
【図１５】非常解除式開放ストッパーに電気信号が送られた状態を示す概略図
【図１６】吊り下げ用金具と引戸の関係を示す要部斜視図
【図１７】ストッパー部材の斜視図
【図１８】室内側ランマ下地パネルの斜視図
【図１９】点検パネルを取り外した状態を示す正面略図
【図２０】点検パネルと電線保持部材を取り外した状態を示す正面略図
【図２１】電線保持部材の斜視図
【図２２】電線保持部材の他の実施例を示す斜視図
【図２３】第２実施例の場合の図１のA―A線に対応する拡大断面図
【符号の説明】
【００８８】
１        引戸枠
１１      鉄骨
１３      戸尻側縦枠
１４      戸先側縦枠
１４６    室外側ボード閉塞突部
１４７    室内側ボード閉塞突部
１５      上枠
１５ａ    電線引き込み孔
１９      室外側ランマ下地パネル
１９３    室外側化粧突部
１００    化粧ボード、室内側化粧ボード、室外側化粧ボード 
２        レール取付材
２０      電線保持部材
２００    機器側電線
２０１    隔壁
２０２    電線載置部
３        室内側中枠
３２      室内側中枠突部
３０      室外側中枠  
３０２    室外側中枠突部
４        下地桟
５        レール部材
５０      レール取付材
５１      吊り金具
６        引戸
６１      吊りボルト
７        室内側ランマ下地パネル
７３      点検パネル
７０      突部連結座
８        非常解除式開放ストッパー装置
８１２    第二係合部
８１４    ストッパー側電線
８５１    第一係合部
【図１】
2015200073.tif 000003
【図２】
2015200073.tif 000004
【図３】
2015200073.tif 000005
【図４】
2015200073.tif 000006
【図５】
2015200073.tif 000007
【図６】
2015200073.tif 000008
【図７】
2015200073.tif 000009
【図８】
2015200073.tif 000010
【図９】
2015200073.tif 000011
【図１０】
2015200073.tif 000012
【図１１】
2015200073.tif 000013
【図１２】
2015200073.tif 000014
【図１３】
2015200073.tif 000015
【図１４】
2015200073.tif 000016
【図１５】
2015200073.tif 000017
【図１６】
2015200073.tif 000018
【図１７】
2015200073.tif 000019
【図１８】
2015200073.tif 000020
【図１９】
2015200073.tif 000021
【図２０】
2015200073.tif 000022
【図２１】
2015200073.tif 000023
【図２２】
2015200073.tif 000024
【図２３】
2015200073.tif 000025